(57)【要約】  無線ネットワーク内の複数の異なる局からの信号を選択かつ処理するための技術が記載される。宛先局は、ソース局からの直接信号、および、少なくとも１つの中継局からの少なくとも１つの中継信号を受信することができ得る。宛先局は、ソース局および中継局のためのメトリックを、例えば、これらの局から受信されたパイロットに基づいて決定することができ得る。宛先局は、ソース局および中継局のためのメトリックに基づいて、直接信号および中継信号の中から、処理するための少なくとも１つの信号を選択することができ得る。宛先局は、ソース局のためのメトリックがしきい値を超える場合、直接信号を選択することができ得る。宛先局は、少なくとも１つのしきい値を超えるメトリックを有する各中継局からの中継信号を選択することができ得る。宛先局は、ソース局によって宛先局へ送られた送信を回復するために、少なくとも１つの選択された信号を処理することができ得る。【選択図】      図２
2011526466.tif 000002
【特許請求の範囲】
【請求項１】
無線通信のための方法であって、
宛先局において、ソース局からの直接信号、および、少なくとも１つの中継局からの少なくとも１つの中継信号を受信すること、
前記ソース局および前記少なくとも１つの中継局のためのメトリックを決定すること、
前記メトリックに基づいて、前記直接信号および前記少なくとも１つの中継信号の中から、処理するための少なくとも１つの信号を選択すること、および
前記ソース局によって前記宛先局へ送られた送信を回復するために、前記少なくとも１つの選択された信号を処理することを備える方法。
【請求項２】
前記ソース局および前記少なくとも１つの中継局のためのメトリックを前記決定することは、
前記ソース局および前記少なくとも１つの中継局からのパイロットを受信することであって、各局からの前記パイロットは前記宛先局によって区別可能であること、および
前記ソース局および前記少なくとも１つの中継局の各々のためのメトリックを、前記局から受信された前記パイロットに基づいて決定することを備える、請求項１に記載の方法。
【請求項３】
前記ソース局および前記少なくとも１つの中継局のためのメトリックを前記決定することは、受信信号強度パラメータおよび受信信号品質パラメータのうち少なくとも１つに基づいて、前記ソース局および前記少なくとも１つの中継局の各々のためのメトリックを決定することを備える、請求項１に記載の方法。
【請求項４】
処理するための少なくとも１つの信号を前記選択することは、前記ソース局のためのメトリックがしきい値を超える場合、前記直接信号を選択することを備える、請求項１に記載の方法。
【請求項５】
処理するための少なくとも１つの信号を前記選択することは、所定の値、または前記少なくとも１つの中継局のための少なくとも１つのメトリックの中の最良のメトリックに基づいて、前記しきい値を決定することをさらに備える、請求項４に記載の方法。
【請求項６】
処理するための少なくとも１つの信号を前記選択することは、
前記少なくとも１つの中継局のための少なくとも１つのメトリックの中の最良のメトリック、前記ソース局のためのメトリック、および所定の値のうち、少なくとも１つに基づいて、しきい値を決定すること、および
各中継信号を選択するかどうかを、前記中継信号を送信する中継局のためのメトリック、および前記しきい値に基づいて決定することを備える、請求項１に記載の方法。
【請求項７】
処理するための少なくとも１つの信号を前記選択することは、
前記少なくとも１つの中継局のための少なくとも１つのメトリックの中の最良のメトリックに基づいて、第１のしきい値を決定すること、
前記ソース局のためのメトリックに基づいて、第２のしきい値を決定すること、および
前記第１および第２のしきい値を超えるメトリックを有する各中継局からの中継信号を選択することを備える、請求項１に記載の方法。
【請求項８】
処理するための少なくとも１つの信号を前記選択することは、前記少なくとも１つの中継のための少なくとも１つのメトリックの中の最良のメトリックを有する中継局からの中継信号を選択することを備える、請求項１に記載の方法。
【請求項９】
処理するための少なくとも１つの信号を前記選択することは、
前記ソース局のためのメトリックが、前記最良のメトリックに基づいて決定された第１のしきい値を超える場合、前記直接信号を選択すること、および
第２および第３のしきい値のうち少なくとも１つを超えるメトリックを有する、残りの各中継局からの中継信号を選択することであって、前記第２のしきい値は、前記最良のメトリックに基づいて決定され、前記第３のしきい値は、前記ソース局のための前記メトリックに基づいて決定されることをさらに備える、請求項８に記載の方法。
【請求項１０】
処理のために中継信号が選択される各中継局は、前記中継信号において前記送信を送り、処理のために中継信号が選択されない各中継局は、前記中継信号において前記送信を送らない、請求項１に記載の方法。
【請求項１１】
前記直接信号および前記少なくとも１つの中継信号は、単一周波数ネットワーク（ＳＦＮ）に従って送信され、前記少なくとも１つの選択された信号を前記処理することは、前記ソース局によって前記宛先局へ送られた前記送信を回復するために、前記少なくとも１つの選択された信号を共に処理することを備える、請求項１に記載の方法。
【請求項１２】
複数の信号が、前記メトリックに基づいて、処理のために選択され、前記少なくとも１つの選択された信号を前記処理することは、
複数の処理された信号を取得するために、前記複数の信号を別々に処理すること、および
前記ソース局によって前記宛先局へ送られた前記送信を回復するために、前記複数の処理された信号を合成することを備える、請求項１に記載の方法。
【請求項１３】
前記複数の処理された信号を前記合成することは、空間−時間送信ダイバーシティ（ＳＴＴＤ）または空間−周波数送信ダイバーシティ（ＳＦＴＤ）に従って、前記複数の処理された信号を合成することを備える、請求項１２に記載の方法。
【請求項１４】
無線通信のための装置であって、
宛先局において、ソース局からの直接信号、および、少なくとも１つの中継局からの少なくとも１つの中継信号を受信するための手段、
前記ソース局および前記少なくとも１つの中継局のためのメトリックを決定するための手段、
前記メトリックに基づいて、前記直接信号および前記少なくとも１つの中継信号の中から、処理するための少なくとも１つの信号を選択するための手段、および
前記ソース局によって前記宛先局へ送られた送信を回復するために、前記少なくとも１つの選択された信号を処理するための手段を備える装置。
【請求項１５】
前記ソース局および前記少なくとも１つの中継局のためのメトリックを決定するための前記手段は、
前記ソース局および前記少なくとも１つの中継局からのパイロットを受信するための手段であって、各局からの前記パイロットは前記宛先局によって区別可能である手段、および
前記ソース局および前記少なくとも１つの中継局の各々のためのメトリックを、前記局から受信された前記パイロットに基づいて決定するための手段を備える、請求項１４に記載の装置。
【請求項１６】
処理するための少なくとも１つの信号を選択するための前記手段は、
所定の値、または前記少なくとも１つの中継局のための少なくとも１つのメトリックの中の最良のメトリックに基づいて、しきい値を決定するための手段、および
前記ソース局のためのメトリックが前記しきい値を超える場合、前記直接信号を選択するための手段を備える、請求項１４に記載の装置。
【請求項１７】
処理するための少なくとも１つの信号を選択するための前記手段は、
第１および第２のしきい値のうち少なくとも１つを超えるメトリックを有する各中継局からの中継信号を選択するための手段であって、前記第１のしきい値は、前記少なくとも１つの中継のための少なくとも１つのメトリックの中の最良のメトリックに基づいて決定され、前記第２のしきい値は、前記ソース局のためのメトリックに基づいて決定される手段を備える、請求項１４に記載の装置。
【請求項１８】
無線通信のための装置であって、
宛先局において、ソース局からの直接信号、および、少なくとも１つの中継局からの少なくとも１つの中継信号を受信すること、前記ソース局および前記少なくとも１つの中継局のためのメトリックを決定すること、前記メトリックに基づいて、前記直接信号および前記少なくとも１つの中継信号の中から、処理するための少なくとも１つの信号を選択すること、および、前記ソース局によって前記宛先局へ送られた送信を回復するために、前記少なくとも１つの選択された信号を処理することを行うように構成された、少なくとも１つのプロセッサを備える装置。
【請求項１９】
前記少なくとも１つのプロセッサは、前記ソース局および前記少なくとも１つの中継局からのパイロットを受信することであって、各局からの前記パイロットは前記宛先局によって区別可能であること、および、前記ソース局および前記少なくとも１つの中継局の各々のためのメトリックを、前記局から受信された前記パイロットに基づいて決定することを行うように構成される、請求項１８に記載の装置。
【請求項２０】
前記少なくとも１つのプロセッサは、所定の値、または前記少なくとも１つの中継局のための少なくとも１つのメトリックの中の最良のメトリックに基づいて、しきい値を決定すること、および、前記ソース局のためのメトリックが前記しきい値を超える場合、前記直接信号を選択することを行うように構成される、請求項１８に記載の装置。
【請求項２１】
前記少なくとも１つのプロセッサは、第１および第２のしきい値のうち少なくとも１つを超えるメトリックを有する各中継局からの中継信号を選択することであって、前記第１のしきい値は、前記少なくとも１つの中継のための少なくとも１つのメトリックの中の最良のメトリックに基づいて決定され、前記第２のしきい値は、前記ソース局のためのメトリックに基づいて決定されることを行うように構成される、請求項１８に記載の装置。
【請求項２２】
コンピュータプログラム製品であって、
コンピュータ可読媒体を備え、前記コンピュータ可読媒体は、
少なくとも１つのコンピュータに、宛先局において、ソース局からの直接信号、および、少なくとも１つの中継局からの少なくとも１つの中継信号を受信させるためのコード、
前記少なくとも１つのコンピュータに、前記ソース局および前記少なくとも１つの中継局のためのメトリックを決定させるためのコード、
前記少なくとも１つのコンピュータに、前記メトリックに基づいて、前記直接信号および前記少なくとも１つの中継信号の中から、処理するための少なくとも１つの信号を選択させるためのコード、および
前記少なくとも１つのコンピュータに、前記ソース局によって前記宛先局へ送られた送信を回復するために、前記少なくとも１つの選択された信号を処理させるためのコードを備える、コンピュータプログラム製品。
【請求項２３】
無線通信のための方法であって、
中継局において、ソース局からの直接信号を受信することであって、前記直接信号は宛先局のための送信を備えること、
前記送信を前記宛先局へ転送するかどうかを決定すること、および
前記送信を転送するための決定が行われる場合、前記宛先局のための前記送信を備える中継信号を送ることを備える方法。
【請求項２４】
前記中継局が、前記宛先局によって検出された少なくとも１つの中継局のための少なくとも１つのメトリックの中の最良のメトリックを有する場合、前記送信を転送するための決定が行われる、請求項２３に記載の方法。
【請求項２５】
前記中継局のためのメトリックが第１および第２のしきい値のうち少なくとも１つを超える場合、前記送信を転送するための決定が行われ、前記第１のしきい値は、前記宛先局によって検出された少なくとも１つの中継局のための少なくとも１つのメトリックの中の最良のメトリックに基づいて決定され、前記第２のしきい値は、前記ソース局のためのメトリックに基づいて決定される、請求項２３に記載の方法。
【請求項２６】
前記送信を転送しないための決定が行われる場合、前記宛先局のための前記送信なしの前記中継信号を送ることをさらに備える、請求項２３に記載の方法。
【請求項２７】
前記送信を転送しないための決定が行われる場合、前記ソース局からの新しい送信をリッスンすることをさらに備える、請求項２３に記載の方法。
【請求項２８】
前記宛先局によって前記直接信号と区別不可能であるように、前記中継信号を生成することであって、前記直接信号および前記中継信号は、単一周波数ネットワーク（ＳＦＮ）に従って送信されることをさらに備える、請求項２３に記載の方法。
【請求項２９】
前記宛先局によって前記直接信号と区別可能であるように、前記中継信号を生成することをさらに備える、請求項２３に記載の方法。
【請求項３０】
空間−時間送信ダイバーシティ（ＳＴＴＤ）または空間−周波数送信ダイバーシティ（ＳＦＴＤ）に従って、前記中継信号を生成することをさらに備える、請求項２３に記載の方法。
【請求項３１】
無線通信のための装置であって、
中継局において、ソース局からの直接信号を受信するための手段であって、前記直接信号は宛先局のための送信を備える手段、
前記送信を前記宛先局へ転送するかどうかを決定するための手段、および
前記送信を転送するための決定が行われる場合、前記宛先局のための前記送信を備える中継信号を送るための手段を備える装置。
【請求項３２】
前記中継局が、前記宛先局によって検出された少なくとも１つの中継局のための少なくとも１つのメトリックの中の最良のメトリックを有する場合、前記送信を転送するための決定が行われる、請求項３１に記載の装置。
【請求項３３】
前記中継局のためのメトリックが第１および第２のしきい値のうち少なくとも１つを超える場合、前記送信を転送するための決定が行われ、前記第１のしきい値は、前記宛先局によって検出された少なくとも１つの中継局のための少なくとも１つのメトリックの中の最良のメトリックに基づいて決定され、前記第２のしきい値は、前記ソース局のためのメトリックに基づいて決定される、請求項３１に記載の装置。
【請求項３４】
前記送信を転送しないための決定が行われる場合、前記宛先局のための前記送信なしの前記中継信号を送るための手段をさらに備える、請求項３１に記載の装置。
【発明の詳細な説明】
【技術分野】
【０００１】
本出願は、本出願の譲受人に譲渡され、参照により本明細書に組み込まれている、２００８年６月２７日に出願した「ＣＲＩＴＥＲＩＡ  ＦＯＲ  ＣＯＭＢＩＮＩＮＧ  ＳＩＧＮＡＬＳ  ＦＲＯＭ  ＤＩＲＥＣＴ  ＡＮＤ  ＲＥＬＡＹＥＤ  ＣＨＡＮＮＥＬＳ」という名称の米国仮特許出願第６１／０７６，５１７号の優先権を主張するものである。
【０００２】
本開示は、一般に通信に関し、より詳細には、無線通信のための送信技術に関する。
【背景技術】
【０００３】
無線通信ネットワークは、音声、ビデオ、パケットデータ、メッセージング、ブロードキャスト、その他など、様々な通信サービスを提供するために、広く配置されている。これらの無線ネットワークは、使用可能なネットワークリソースを共有することによって、複数のユーザのための通信をサポートすることが可能である場合がある。このような無線ネットワークの例には、広い地域のための通信カバレッジを提供する無線広域ネットワーク（ＷＷＡＮ）、中位の地域のための通信カバレッジを提供する無線メトロポリタンエリアネットワーク（ＷＭＡＮ）、および、狭い地域のための通信カバレッジを提供する無線ローカルエリアネットワーク（ＷＬＡＮ）が含まれる。
【０００４】
無線ネットワークのカバレッジを改善することが望ましい場合がある。これは、中継局を使用することによって達成される場合がある。中継局は、第１の局（例えば、ソース局）から信号を受信し、その信号において送られたデータを回復するために受信信号を処理（例えば、復調および復号）し、回復されたデータに基づいて中継信号を生成し、中継信号を第２の局（例えば、宛先局）へ送る場合がある。中継局の使用は、無線ネットワークにおいてネットワーク容量を増大させ、エネルギー効率を改善する場合がある。しかし、中継局の使用はまた、オーバヘッドを増加させ、他の不利益を招く場合もある。
【発明の概要】
【０００５】
無線ネットワーク内の複数の異なる局からの信号を選択かつ処理するための技術が、本明細書に記載される。ソース局は、宛先局のための送信を含む直接信号を送信することができ得る。少なくとも１つの中継局は直接信号を受信することができ得、各中継局は中継信号を送信することができ得る。宛先局は、ソース局からの直接信号、ならびに、少なくとも１つの中継局からの少なくとも１つの中継信号を受信することができ得る。
【０００６】
一態様では、宛先局は、ソース局および中継局のためのメトリックを決定することができ得る。ある設計では、宛先局は、各局のためのメトリックを、その局から受信されたパイロットに基づいて決定することができ得る。各局のためのメトリックは、受信信号強度パラメータ、受信信号品質パラメータなどに基づくことができ得る。宛先局は、ソース局および中継局のためのメトリックに基づいて、直接信号および少なくとも１つの中継信号の中から、処理するための少なくとも１つの信号を選択することができ得る。宛先局は次いで、ソース局によって宛先局へ送られた送信を回復するために、少なくとも１つの選択された信号を処理することができ得る。
【０００７】
ある設計では、宛先局は、ソース局のためのメトリックが第１のしきい値を超える場合、直接信号を選択することができ得る。第１のしきい値は、所定の値、または少なくとも１つの中継局のための少なくとも１つのメトリックの中の最良のメトリックに基づいて決定することができ得る。ある設計では、宛先局は、第２および／または第３のしきい値を超えるメトリックを有する各中継局からの中継信号を選択することができ得る。第２のしきい値は、最良のメトリックに基づいて決定することができ得、第３のしきい値は、ソース局のためのメトリックに基づいて決定することができ得る。宛先局はまた、他の方法で、直接信号および／または少なくとも１つの中継信号を選択することもでき得る。
【０００８】
他の設計では、中継の選択は、ソース局によって、または中継局によって、またはソース局および宛先局によって、または局の他の何らかの組み合わせによって行うことができ得る。例えば、中継局がソース局からの信号をうまく復号した場合、中継局は、ソース局が再送を行うことを助けるように決定することができ得る。中継局は、例えば、宛先局がこの中継局からの良い受信信号品質を観察する場合であっても、中継局がソース局からの信号を復号しなかった場合、何も行わないように決定することができ得る。
【０００９】
ある設計では、処理のために中継信号が選択される中継局のみが、それらの中継信号において、宛先局のための送信を送ることができ得る。別の設計では、各中継局は、中継信号が処理のために選択されるかどうかにかかわらず、その中継信号において送信を送ることができ得る。
【００１０】
ある設計では、直接信号および少なくとも１つの中継信号は、単一周波数ネットワーク（ＳＦＮ）に従って送信することができ得る。宛先局は、送信を回復するために、少なくとも１つの選択された信号を共に処理することができ得る。別の設計では、宛先局は、選択された各信号を別々に処理することができ得、次いで、送信を回復するために、すべての処理された信号を合成することができ得る。
【００１１】
本開示の様々な態様および特徴が、以下でさらに詳細に記載される。
【図面の簡単な説明】
【００１２】
【図１】無線通信ネットワークを示す図。
【図２】中継を使用するデータ送信を示す図。
【図３】宛先局のブロック図を示す図。
【図４】送信を受信するための処理を示す図。
【図５】送信を受信するための装置を示す図。
【図６】送信を中継するための処理を示す図。
【図７】送信を中継するための装置を示す図。
【図８】基地局、中継局および端末のブロック図を示す図。
【発明を実施するための形態】
【００１３】
本明細書に記載の技術は、ＷＷＡＮ、ＷＭＡＮ、ＷＬＡＮ、その他など、様々な無線通信ネットワークのために使用される場合がある。「ネットワーク」および「システム」という用語は、しばしば入れ替え可能に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどである場合がある。ＣＤＭＡネットワークは、ユニバーサル地上無線アクセス（ＵＴＲＡ）、ｃｄｍａ２０００、その他など、無線技術を実装する場合がある。ＴＤＭＡネットワークは、グローバルシステムフォーモバイルコミュニケーションズ（ＧＳＭ（登録商標））など、無線技術を実装する場合がある。ＯＦＤＭＡネットワークは、Ｅｖｏｌｖｅｄ  ＵＴＲＡ（Ｅ−ＵＴＲＡ）、ウルトラモバイルブロードバンド（ＵＭＢ）、Ｆｌａｓｈ−ＯＦＤＭ（登録商標）、その他など、無線技術を実装する場合がある。ロングタームエボリューション（ＬＴＥ）およびＬＴＥ−Ａｄｖａｎｃｅｄ（ＬＴＥ−Ａ）は、ダウンリンク上でＯＦＤＭＡを、かつ、アップリンク上でＳＣ−ＦＤＭＡを採用する、Ｅ−ＵＴＲＡを使用する「第３世代パートナーシッププロジェクト」（３ＧＰＰ）の新しいリリースである。ＷＬＡＮは、ＩＥＥＥ  ８０２．１１規格群（Ｗｉ−Ｆｉとも呼ばれる）、Ｈｉｐｅｒｌａｎなどにおける、１つまたは複数の規格を実装する場合がある。ＷＭＡＮは、ＩＥＥＥ  ８０２．１６規格群（ＷｉＭＡＸとも呼ばれる）における、１つまたは複数の規格を実装する場合がある。本明細書に記載の技術は、上述の無線ネットワークおよび無線技術、ならびに、他の無線ネットワークおよび無線技術のために使用される場合がある。
【００１４】
図１は、無線通信ネットワーク１００を示す。簡単にするために、１つの基地局１１０、２つの中継局１２０、１つの端末１３０、および、１つのネットワークコントローラ１４０のみが、図１に示される。一般に、無線ネットワークには、各タイプのいかなる数のエンティティもが含まれる場合がある。
【００１５】
基地局１１０は、端末と通信する局である場合があり、ノードＢ、進化型ノードＢ（evolved Node B）（ｅＮＢ）、アクセスポイントなどと呼ばれる場合もある。基地局１１０は、特定の地域のための通信カバレッジを提供する場合がある。ネットワークコントローラ１４０は、１組の基地局に結合し、これらの基地局のための調整および制御を提供する場合がある。ネットワークコントローラ１４０は、単一のネットワークエンティティであっても、またはネットワークエンティティの集合であってもよい。
【００１６】
端末１３０は、無線ネットワーク内のいかなるところに位置してもよく、静止していても、または移動体であってもよい。端末１３０はまた、アクセス端末、移動局、ユーザ装置、加入者局、局などと呼ばれる場合もある。端末１３０は、携帯電話、携帯情報端末（ＰＤＡ）、無線通信デバイス、ハンドヘルドデバイス、無線モデム、ラップトップコンピュータ、コードレス電話、無線ローカルループ（ＷＬＬ）局などである場合がある。端末１３０は、順方向および逆方向リンク上で、基地局１１０と通信する場合がある。順方向リンク（またはダウンリンク）は、基地局から端末への通信リンクを指し、逆方向リンク（またはアップリンク）は、端末から基地局への通信リンクを指す。端末１３０はまた、他の端末（図１に図示せず）とピアツーピア通信を行う場合もある。端末１３０はまた、端末１３０の知識の有無にかかわらず、信号を中継局１２０へ送り、かつ／または信号を中継局１２０から受信する場合もある。
【００１７】
中継局１２０は、上流局から信号を受信し、信号を下流局へ送る局である場合がある。中継局１２０は、順方向リンクおよび／または逆方向リンク上のデータ送信をサポートする場合がある。順方向リンク上で、中継局は、基地局（例えば、基地局１１０）からの順方向リンク信号を受信し、特定の端末（例えば、端末１３０）のための順方向リンク信号を、その端末へ送られた送信を回復するために処理し、その送信を含む順方向リンク中継信号を生成し、順方向リンク中継信号をその端末へ送信する場合がある。逆方向リンク上で、中継局は、複数の異なる端末から逆方向リンク信号を受信し、特定の端末（例えば、端末１３０）のための受信信号を、その端末によって送られた送信を回復するために処理し、その送信を含む逆方向リンク中継信号を生成し、逆方向リンク中継信号を基地局１１０へ送信する場合がある。送信は、データ、制御情報、パイロットなどを備える場合がある。一般に、中継局１２０は、順方向リンクのみ、または逆方向リンクのみ、または順方向および逆方向リンクの両方のための送信を中継する場合がある。中継局１２０はまた、順方向および逆方向リンクの各々において、いかなる数の端末のための送信を中継する場合もある。
【００１８】
図２は、中継局を使用する無線ネットワーク１００におけるデータ送信を示す。信号を送信かつ／または受信するエンティティは、局、ノードなどと呼ばれる場合がある。データ送信を始める局は、ソース局、または単にソースと呼ばれる場合がある。データ送信が送られる先の局は、宛先局、または単に宛先と呼ばれる場合がある。ソースから宛先へのリンクは、直接リンクと呼ばれる場合があり、ソースから宛先への信号は、直接信号と呼ばれる場合がある。データ送信を転送する局は、中継局、または単に中継と呼ばれる場合がある。Ｎ個の中継１からＮは、ソースからの直接信号を受信する場合があり、ただし、Ｎはいずれかの整数値である場合がある。ソースから各中継へのリンクは、バックホールリンクと呼ばれる場合がある。各中継から宛先へのリンクは、中継リンクと呼ばれる場合があり、中継から宛先への信号は、中継信号と呼ばれる場合がある。
【００１９】
無線媒体の、広範囲に及び、普及する性質のため、宛先は、ソースからの直接信号、ならびに、１つまたは複数の中継からの１つまたは複数の中継信号を受信することができる場合がある。宛先は、直接信号および中継信号を合成することによって、向上された性能を得ることができる場合がある。しかし、信号を合成することで、追加の処理のコスト、増大されたレイテンシ、および他のオーバヘッドを招く場合がある。
【００２０】
一態様では、ソースおよび中継からの信号を合成することが有益である場合のある状況を識別するために、１つまたは複数の基準が使用される場合がある。さらに、複数の中継が存在する場合、それらの信号が合成のために十分高い品質のものである、１つまたは複数の特定の中継を選択するために、基準が使用される場合がある。一般に、複数の異なる局からの信号を合成することは、それらの信号が同等の品質または強度のものであるときのみ、実質的な利益に通じる場合がある。あるシナリオでは、直接リンクは中継リンクよりはるかに強力である場合がある。これらのシナリオでは、中継が中継信号を宛先に送信することさえ有益でない場合がある。他のシナリオでは、１つまたは複数の中継リンクは、直接リンクよりはるかに強力である場合がある。これらのシナリオでは、直接リンクからの直接信号を使用することから、性能における利益がほとんどない場合がある。
【００２１】
メトリックは、直接リンクおよび中継リンクの品質または強度を定量化するために使用される場合がある。一般に、メトリックは、受信信号強度、受信信号品質、オーバヘッドコストなどのための１つまたは複数のパラメータに基づいて定義される場合がある。受信信号強度のためのいくつかの例のパラメータには、受信パイロット強度、受信パイロット電力、受信信号電力、パスロス、チャネル強度などが含まれる場合がある。受信信号品質のためのいくつかの例のパラメータには、ＳＮ比（ＳＮＲ）、信号対雑音および干渉比（signal-to-noise-and-interference ratio）（ＳＩＮＲ）、チップ当たりのエネルギー対総受信電力比（energy-per-chip-to-total-received-power ratio）（Ｅｃ／Ｉｏ）、搬送波対干渉比（carrier-to-interference ratio）（Ｃ／Ｉ）などが含まれる場合がある。オーバヘッドコストのためのいくつかの例のパラメータには、処理リソース、レイテンシ、中継信号による無線ネットワークへの干渉、中継消費電力などが含まれる場合がある。メトリックは、単一の受信信号強度パラメータ（例えば、受信パイロット電力）、単一の受信信号品質パラメータ（例えば、ＳＩＮＲ）、複数の異なるパラメータの加重和などに基づいて定義される場合がある。メトリックは、予測ダウンリンクデータレート、予測アップリンクデータレートなどについて定義される場合がある。中継については、予測データレートは、バックホールおよびアクセスリンクの強度または品質によって決まる場合がある。メトリックがどのように定義される場合があるかにかかわらず、簡単にするために、以下の説明では、メトリックが非負の値を有し、より高い値がより良いものであると仮定する。非負の、より高い値−より良いメトリックに説明を限定することは、一般性を失うことにはつながらない。例えば、メトリックＭは、負の値を有するように定義される場合がある。新しいメトリックＭ’は次いで、Ｍ’＝指数（Ｍ）として定義される場合があり、単調性を失うことなく、すべて正となる。別の例として、メトリックＭは、より低い値がより良いものであるように定義される場合がある。この場合、−Ｍは、Ｍの代わりにメトリックとして使用される場合があり、より高い値をより良いように有するようになる。
【００２２】
ソースから宛先への直接リンクのためのメトリックは、ＭSと示される場合がある。ｉ番目の中継から宛先への中継リンクのためのメトリックは、ｉ∈｛１，．．．，Ｎ｝について、ＭRiと示される場合があり、ただし、Ｎは中継の数である。Ｎ個の中継のためのメトリックは、ＭR1≧ＭR2≧．．．≧ＭRNとなるようにソートされる場合があり、ただし、ＭR1は最良の中継リンクのための最良のメトリックであり、ＭRNは最悪の中継リンクのための最悪のメトリックである。
【００２３】
ある設計では、以下の基準が満たされる場合、宛先は、処理のためにソースからの直接信号を選択する場合がある。
【数１】
2011526466.tif 000003
【００２４】
ただし、Ｋ1は、適切に選択された非負の定数である。式（１）に示す設計では、直接信号は、そのメトリックＭSが、最良の中継リンクのメトリックＭR1および定数Ｋ1によって決定された動的しきい値より大きい場合、選択される場合がある。直接信号は、そうでない場合は処理から省かれる場合がある。直接信号が、そのメトリックが最良の中継メトリックの所定の割合より良い場合、選択されるように、定数Ｋ1が定義される場合がある。
【００２５】
別の設計では、以下の基準が満たされる場合、宛先は、処理のためにソースからの直接信号を選択する場合がある。
【数２】
2011526466.tif 000004
【００２６】
ただし、ＴSは、適切に選択された固定のしきい値である。式（２）に示す設計では、直接信号は、そのメトリックＭSが固定のしきい値ＴSより大きい場合、選択される場合があり、そうでない場合は省かれる場合がある。
【００２７】
さらにもう１つの設計では、式（１）および（２）の両方における基準が満たされる場合、宛先は、ソースからの直接信号を選択する場合がある。ＴSは、直接信号が選択されることが可能となる前に、直接信号がある最低品質を上回ることを保証するために使用された、最小しきい値である場合がある。Ｋ1・ＭR1は、直接信号が最良の中継信号と合成されるとき、ある利益を提供することを保証するために、使用される場合がある。
【００２８】
ある設計では、以下の基準が満たされる場合、宛先は、処理のためにｉ番目の中継からの中継信号を選択する場合がある。
【数３】
2011526466.tif 000005
【数４】
2011526466.tif 000006
【００２９】
ただし、Ｋ2およびＫ3は、適切に選択された非負の定数であり、ＭRthは、しきい値メトリックである。ＭRthは、最良のメトリックＭR1または所定の値に等しい場合がある。
【００３０】
式の組（３）に示す設計では、ｉ番目の中継からの中継信号は、そのメトリックが、（ｉ）最良の中継リンクのメトリックＭR1および定数Ｋ2によって決定された第１の動的しきい値、および（ｉｉ）ソースのメトリックＭSおよび定数Ｋ3によって決定された第２の動的しきい値の両方より大きい場合、選択される場合がある。中継信号は、そうでない場合は省かれる場合がある。別の設計では、式（３ａ）における基準が満たされる場合、ｉ番目の中継からの中継信号が選択される場合がある。さらにもう１つの設計では、式（３ｂ）における基準が満たされる場合、ｉ番目の中継からの中継信号が選択される場合がある。
【００３１】
別の設計では、以下の基準が満たされる場合、宛先は、処理のためにｉ番目の中継からの中継信号を選択する場合がある。
【数５】
2011526466.tif 000007
【００３２】
ただし、ＴRは、適切に選択された固定のしきい値である。式（４）に示す設計では、ｉ番目の中継からの中継信号は、そのメトリックＭRiが固定のしきい値ＴRより大きい場合、選択される場合があり、そうでない場合は省かれる場合がある。
【００３３】
直接信号を選択するかどうか、および、中継信号を選択するかどうかを決定するためのいくつかの例示的基準は、上記で与えられる。これらの基準は、信号を合成することが有益である場合のある状況を識別するために使用される場合がある。他の基準もまた、直接信号および中継信号を選択するかどうかを決定するために使用される場合がある。さらに、中継信号の選択は、例えば、上述のオーバヘッドコストのいずれかについてなど、１つまたは複数の条件によって決まる場合がある。
【００３４】
定数Ｋ1、Ｋ2およびＫ3、ならびに、しきい値ＴSおよびＴRは、コンピュータシミュレーション、経験的測定、フィールドテストなどに基づいて決定される場合がある。これらの定数およびしきい値は、良い性能を提供するために定義される場合がある。これらの定数およびしきい値は、宛先で格納される場合のある、固定の値である場合がある。別法として、これらの定数およびしきい値は、いずれかの要素によって決まる場合のある、設定可能な値である場合がある。
【００３５】
上記の設計は、各中継のためのバックホールリンクが十分に良いものであり、メトリックＭRiへのバックホールリンクの影響を無視することができると仮定している。別の設計では、ソースからｉ番目の中継へのバックホールリンクのためのメトリックは、ｉ∈｛１，．．．，Ｎ｝について、ＭSRiとして決定され、示される場合がある。ｉ番目の中継から宛先への中継リンクのためのメトリックＭRiは次いで、対応するバックホールリンクのためのメトリックＭSRiを考慮に入れる場合がある。
【００３６】
特定の信号を選択するか省くかの決定は、チャネル状態に基づいて設計段階で、または配置の後に行われる場合がある。例えば、中継を有するセルラーネットワークの順方向リンク上で、中継は、その中継への強力なチャネルを有する端末のみと通信するように制約される場合がある。この場合、ソースのためのメトリックＭSは、最良の中継のためのメトリックＭR1よりはるかに小さくなる場合があり、式（１）における基準は満たされないようになる。したがって、設計段階で、直接信号を使用する可能性を排除することが可能である場合がある。宛先は次いで、ソースのためのメトリックＭSを計算する必要がなくなり、直接信号を処理する必要がなくなる。他方では、複数の端末が互いのための中継として動作する場合のある無線ネットワークにおいて、どの端末が実行可能な中継となることができるかを決定するために、式の組（３）における基準が使用される場合がある。
【００３７】
ある設計では、ソースおよび中継は、宛先が複数の異なる局を識別することを可能にする場合のある、複数の異なるパイロットを送信する場合がある。パイロットは、送信側の局および受信側の局によって先験的に知られるデータであり、チャネル推定、信号強度および／または品質測定、送信機識別、時間および／または周波数捕捉、その他など、様々な目的のために受信側の局によって使用される場合がある。パイロットはまた、参照信号、トレーニング、プリアンブルなどと呼ばれる場合もある。
【００３８】
ソースおよび中継は、様々な方法でパイロットを送信する場合がある。ある設計では、符号分割多重（ＣＤＭ）がパイロットのために使用される場合がある。複数の異なる局は、異なるスクランブリング符号および／または異なる直交符号によりそれらのパイロットを生成する場合があり、パイロットオーバヘッドを低減するために、例えば同じ時間および周波数リソースにおいて、それらのパイロットを共に送信する場合がある。別の設計では、周波数分割多重化（ＦＤＭ）がパイロットのために使用される場合がある。複数の異なる局は、異なるセットの副搬送波上でそれらのパイロットを送信する場合があり、これらのパイロットは、周波数領域において互いに直交する場合がある。さらにもう１つの設計では、時分割多重化（ＴＤＭ）がパイロットのために使用される場合がある。複数の異なる局は、異なる時間間隔においてそれらのパイロットを送信する場合があり、これらのパイロットは、時間領域において互いに直交する場合がある。一般に、複数の異なる局からのパイロットは、多重化方式のいずれか１つまたはいずれかの組み合わせを利用する場合がある。各局は、他の局がその局を検出すること、および、その局のための受信信号強度および／または受信信号品質を測定することを可能にするために、そのパイロットを周期的に送信する場合がある。
【００３９】
各局のためのメトリックは、様々な方法で決定される場合がある。ある設計では、宛先は各局からパイロットを受信する場合があり、受信されたパイロットに基づいてその局のためのメトリックを決定する場合がある。別の設計では、宛先は、各局のためのメトリックを、その局からの他の送信に基づいて決定する場合がある。
【００４０】
中継は、様々な方法で動作する場合がある。ある設計では、中継は、ソースからの直接信号を連続的に受信する場合があり、中継信号を宛先へ連続的に送信する場合がある。宛先は、中継信号を連続的に受信する場合があり、上記の設計のいずれかに基づいて、各中継信号を選択するかどうかを決定する場合がある。
【００４１】
別の設計では、中継は、中継信号を宛先に送信することを選択的に可能にされるか、または不可にされる場合がある。宛先は、ソースおよび中継のためのメトリックを、これらの局から受信されたパイロットに基づいて計算する場合がある。宛先は次いで、上記の設計のいずれかに基づいて、各中継を使用可能にするかどうかを決定する場合がある。宛先は、中継信号を宛先に送信するようにその中継に要求するために、使用可能にされた各中継と通信する場合がある。別法として、宛先は、ソースと通信する場合があり、ソースは、中継信号を宛先に送信するようにその中継に要求するために、使用可能にされた各中継と通信する場合がある。いずれの場合も、宛先は、すべての使用可能にされた中継からの中継信号を処理する場合がある。各中継は、その中継を使用可能にした宛先のみのための送信を備える中継信号を送信する場合があるので、この設計は、無線ネットワークにおける干渉を低減する場合がある。
【００４２】
中継は、様々な方法で中継信号を送信する場合がある。ある設計では、中継は、例えば、局の識別のために使用された区別可能なパイロットを除いて、中継信号をソースからの直接信号に似ているように送信する場合がある。中継信号および直接信号は次いで、ＳＦＮ信号のように見える場合がある。中継信号および直接信号は、同じ復調パイロットを有する場合があり、この復調パイロットは、中継リンクおよび直接リンクの両方のための全体のチャネル推定値を得るために、宛先によって使用される場合がある。宛先は、中継信号および直接信号を備える受信信号を取得し、復調パイロットに基づいて全体のチャネル推定値を導出し、全体のチャネル推定値により受信信号上で同期検波を行う場合がある。宛先は、中継信号と直接信号を区別する必要がない場合がある。この設計は、例えば、各中継を使用可能または使用不可にすることができるとき、使用される場合がある。
【００４３】
別の設計では、中継は、中継信号を、宛先によって区別することができるように送信する場合がある。例えば、複数の異なる中継は、それらの中継信号を生成するために異なるスクランブリングシーケンスを使用する場合がある。区別可能な中継信号は、宛先が各中継信号を選択または省くことを可能にする場合がある。
【００４４】
さらにもう１つの設計では、中継は、時間、周波数および／または空間ダイバーシティを提供するために、中継信号を送信する場合がある。例えば、ソースおよび中継は、空間−時間送信ダイバーシティ（space-time transmit diversity）（ＳＴＴＤ）を提供するために、それらの信号を送信する場合がある。ＳＴＴＤのために、ソースは、それぞれ２つの連続したシンボル期間１および２において、２つの出力シンボルＳaおよびＳbを宛先へ送信する場合がある。中継は、それぞれ同じ２つの連続したシンボル期間１および２において、出力シンボル
【数６】
2011526466.tif 000008
【００４５】
および
【数７】
2011526466.tif 000009
【００４６】
を送信する場合がある。各出力シンボルは、よって、２つのシンボル期間において２つの局から送信され、時間および空間ダイバーシティを共に観察する。
【００４７】
ＳＴＴＤのために、宛先は、それぞれ２つの連続したシンボル期間１および２において、２つの受信シンボルｒ1およびｒ2を取得する場合がある。宛先は、以下のようにこの２つの出力シンボルを回復する場合がある。
【数８】
2011526466.tif 000010
【数９】
2011526466.tif 000011
【００４８】
ただし、ｈ1およびｈ2は、それぞれシンボル期間１および２のための推定チャネル利得であり、
【数１０】
2011526466.tif 000012
【００４９】
および
【数１１】
2011526466.tif 000013
【００５０】
は、それぞれ出力シンボルｓaおよびｓbの推定値である。
【００５１】
ソースおよび中継はまた、空間−周波数送信ダイバーシティ（space-frequency transmit diversity）（ＳＦＴＤ）を提供するために、それらの信号を送信する場合もある。ＳＦＴＤのために、ソースは、１つのシンボル期間において、それぞれ２つの副搬送波１および２上で、２つの出力シンボルｓaおよびｓbを宛先へ送信する場合がある。中継は、同じシンボル期間において、それぞれ同じ２つの副搬送波１および２上で、出力シンボル
【数１２】
2011526466.tif 000014
【００５２】
および
【数１３】
2011526466.tif 000015
【００５３】
を送信する場合がある。各出力シンボルは、よって、２つの副搬送波上で２つの局から送信され、周波数および空間ダイバーシティを共に観察する。
【００５４】
ＳＴＴＤおよびＳＦＴＤは典型的には、２つの連続したシンボル期間または副搬送波において、１つの局における２つのアンテナからの出力シンボルの対を送信するために使用される。２つの局によるＳＴＴＤおよびＳＦＴＤのために、ソースは一方のアンテナを使用する場合があり、中継は、ソースの第２のアンテナによく似る場合がある。宛先は、ＳＴＴＤまたはＳＦＴＤがソースおよび中継によって採用されるとき、通知を受ける場合がある。宛先は次いで、例えば、式の組（５）に示すように、ＳＴＴＤまたはＳＦＴＤのための復調を行う場合がある。
【００５５】
ある設計では、ソースおよび中継は、ハイブリッド自動再送要求（ＨＡＲＱ）に従って、それらの信号を生成する場合がある。ＨＡＲＱにより、パケットが受信側の局によって正しく復号されるか、または最大数の送信が送られてしまうか、またはある他の終端条件に出会うまで、送信側の局は、データのパケットの１つまたは複数の送信を、一度に１つの送信ずつ、送る場合がある。ＨＡＲＱは、変化するチャネル条件の存在下で、データ送信の信頼性を向上させ、パケットのためのレート適応をサポートする場合がある。
【００５６】
ＨＡＲＱのために、中継は、宛先のためのパケットの各送信を受信する場合があり、そのパケットを回復するためにその送信を復号する場合がある。パケットを正しく復号すると、中継は、復号されたパケットに基づいて、ソースと同じ方法で、パケットの残りの送信を生成する場合がある。中継は次いで、例えば、その送信のためのソースによって使用された同じ時間および周波数リソースにおいて、パケットの残りの各送信を宛先へ送る場合がある。宛先は、パケットが中継によって正しく復号されるまで、ソースのみからパケットの１つまたは複数の送信を受信する場合がある。宛先は、パケットが中継によって正しく復号された後、ソースおよび中継の両方からパケットの１つまたは複数の残りの送信を受信する場合がある。
【００５７】
図３は、宛先３００の設計のブロック図を示し、宛先３００は、順方向リンク上のデータ送信のための端末１３０、または逆方向リンク上のデータ送信のための基地局１１０である場合がある。宛先３００において、アンテナ３１０は、ソースからの直接信号、および、いかなる数の中継からのいかなる数の中継信号をも受信する場合がある。アンテナ３１０は、直接および中継信号を備える受信信号を提供する場合がある。受信機３１２は、受信信号を調整（例えば、フィルタ、増幅、ダウンコンバート、およびディジタル化）し、入力サンプルを提供する場合がある。復調器３１４は、ソースおよび中継からの信号を検出するために、入力サンプルを処理する場合がある。復調器３１４はまた、ソースおよび中継からのパイロットを回復する場合もあり、各局のための受信パイロットシンボルを提供する場合がある。
【００５８】
メトリック計算ユニット３２０は、各局のためのメトリックを、その局のための受信パイロットシンボル、および、場合によっては他の情報に基づいて計算する場合がある。信号選択ユニット３２２は、ユニット３２０からソースおよび中継のためのメトリックを受信する場合があり、各局からの信号を選択または省くための基準を評価する場合がある。例えば、ユニット３２２は、ソースからの直接信号を選択するかどうかを決定するために、式（１）または（２）における基準を評価する場合がある。ユニット３２２は、各中継からの中継信号を選択するかどうかを決定するために、式の組（３）または式（４）における基準を評価する場合がある。ユニット３２２はまた、各局からの信号を選択するかどうかを決定するために、他の基準を評価する場合もある。ユニット３２２は、選択された信号の指示を復調器３１４および信号合成器３１６に提供する場合がある。
【００５９】
復調器３１４は、宛先３００に送られた送信のための入力サンプルを復調する場合があり、その信号が処理のために選択される各局のための受信データシンボルを提供する場合がある。信号合成器３１６は、すべての選択された局のための受信データシンボルを合成する場合があり、検出されたデータシンボルを提供する場合があり、検出されたデータシンボルは、ソースによって宛先３００へ送られたデータシンボルの推定値である場合がある。一般に、復調および信号合成は、中継信号がどのように送られるかに応じて、異なる方法で行われる場合がある。復調および信号合成は、例えば、異なるスクランブリングシーケンス、ＳＴＴＤ、ＳＦＴＤなどの使用を通じて、直接信号および中継信号が区別可能である場合、（図３に示すように）別々に行われる場合がある。復調および信号合成はまた、直接信号および中継信号が、例えば、ＳＦＮの方法で送られるなど、区別できない場合、共に行われる場合もある（図３に図示せず）。いずれの場合も、復号器３１８は、検出されたデータシンボルを復号し、宛先３００のための復号されたデータを提供する場合がある。
【００６０】
図４は、送信を受信するための処理４００の設計を示す。処理４００は、宛先局によって行われる場合があり、宛先局は、順方向リンク送信のための端末、または逆方向リンク送信のための基地局である場合がある。
【００６１】
宛先局は、ソース局からの直接信号、および、少なくとも１つの中継局からの少なくとも１つの中継信号を受信する場合がある（ブロック４１２）。宛先局は、例えば、非常に強いものから非常に弱いものまでの範囲の、場合によってはノイズフロアより低い、いずれかの信号レベルで、各信号を受信する場合がある。宛先局は、ソース局および少なくとも１つの中継局のためのメトリックを決定する場合がある（ブロック４１４）。宛先局は、メトリックに基づいて、直接信号および少なくとも１つの中継信号の中から、処理するための少なくとも１つの信号を選択する場合がある（ブロック４１６）。宛先局は次いで、ソース局によって宛先局へ送られた送信を回復するために、少なくとも１つの選択された信号を処理する場合がある（ブロック４１８）。
【００６２】
ブロック４１４のある設計では、宛先局は、ソース局および少なくとも１つの中継局からのパイロットを受信する場合がある。パイロットは、上記の多重化方式のいずれかを使用して送られる場合があり、各局からのパイロットは、宛先局によって区別可能である場合がある。宛先局は、各局のためのメトリックを、その局から受信されたパイロットに基づいて決定する場合がある。宛先局は、受信信号強度パラメータ（例えば、受信パイロット強度、パスロスなど）、受信信号品質パラメータ（例えば、ＳＮＲ、ＳＩＮＲ、Ｅｃ／Ｉｏ、Ｃ／Ｉなど）、および／または他のパラメータに基づいて、各局のためのメトリックを決定する場合がある。
【００６３】
宛先局は、ブロック４１６において、少なくとも１つの信号を様々な方法で選択する場合がある。直接信号選択のある設計では、宛先局は、ソース局のためのメトリックが第１のしきい値を超える場合、直接信号を選択する場合がある。第１のしきい値は、（ｉ）例えば、式（１）に示すように、少なくとも１つの中継局のための少なくとも１つのメトリックの中の最良のメトリック、または（ｉｉ）例えば、式（２）に示すように、所定の値に基づいて決定される場合がある。
【００６４】
中継信号選択のある設計では、宛先局は、第２および第３のしきい値を超えるメトリックを有する各中継局からの中継信号を選択する場合がある。第２のしきい値は、最良のメトリックに基づいて決定される場合があり、第３のしきい値は、例えば、式の組（３）に示すように、ソース局のためのメトリックに基づいて決定される場合がある。中継信号選択の別の設計では、宛先局は、第４のしきい値を超えるメトリックを有する各中継局からの中継信号を選択する場合がある。第４のしきい値は、最良のメトリック、ソース局のためのメトリック、または所定の値に基づいて決定される場合がある。
【００６５】
信号選択のある設計では、宛先局は、最良のメトリックを有する中継局からの中継信号を選択する場合がある。宛先局はまた、ソース局のためのメトリックが第１のしきい値を超える場合、直接信号を選択する場合もある。宛先局はまた、第２および／または第３のしきい値を超えるメトリックを有する、残りの各中継局からの中継信号を選択する場合もある。
【００６６】
ある設計では、処理のためにその中継信号が選択される各中継局は、その中継信号において、宛先局のための送信を送る場合がある。処理のためにその中継信号が選択されない各中継局は、中継信号において送信を送らない場合がある。別の設計では、各中継局は、中継信号が処理のために選択されるかどうかにかかわらず、その中継信号において、宛先局のための送信を送る場合がある。
【００６７】
ある設計では、直接信号および少なくとも１つの中継信号は、ＳＦＮに従って送信される場合がある。宛先局は、宛先局へ送られた送信を回復するために、少なくとも１つの選択された信号を共に処理する場合がある。別の設計では、複数の信号が、メトリックに基づいて、処理のために選択される場合がある。宛先局は、複数の処理された信号を取得するために、複数の信号を別々に処理する場合があり、次いで、宛先局へ送られた送信を回復するために、処理された信号を合成する場合がある。合成は、異なる選択された信号からの検出シンボルを合計することを伴う場合がある。合成はまた、例えば、式の組（５）に示すように、ＳＴＴＤまたはＳＦＴＤに従って行われる場合もある。
【００６８】
図５は、送信を受信するための装置５００の設計を示す。装置５００は、宛先局において、ソース局からの直接信号、および、少なくとも１つの中継局からの少なくとも１つの中継信号を受信するためのモジュール５１２、ソース局および少なくとも１つの中継局のためのメトリックを決定するためのモジュール５１４、メトリックに基づいて、直接信号および少なくとも１つの中継信号の中から、処理するための少なくとも１つの信号を選択するためのモジュール５１６、および、ソース局によって宛先局へ送られた送信を回復するために、少なくとも１つの選択された信号を処理するためのモジュール５１８を含む。
【００６９】
図６は、送信を中継するための処理６００の設計を示す。処理６００は、中継局によって行われる場合がある。中継局は、ソース局から、宛先局のための送信を備える直接信号を受信する場合がある（ブロック６１２）。中継局は、送信を宛先局へ転送するかどうかを決定する場合がある（ブロック６１４）。中継局は、送信を転送するための決定が行われる場合、宛先局のための送信を備える中継信号を送る場合がある（ブロック６１６）。中継局は、送信を転送しないための決定が行われる場合、宛先局のための送信なしの中継信号を送る場合がある。中継局はまた、送信を転送しないための決定が行われる場合、ソース局からの新しい送信をリッスン(listen)する場合もある。これは、同じ周波数帯域上で同じ時間に送信かつ受信することが不可能であるため、中継信号を送信する中継局がソース局からの新しい送信をリッスンすることができない場合があるので、適切である場合がある。
【００７０】
送信を転送するかどうかの決定は、ソース局または宛先局によって行われる場合があり、中継局へ搬送される場合がある。別法として、この決定は、例えば、ソース局または宛先局から受信されたメトリックに基づいて、中継局によって行われる場合がある。いずれの場合も、ある設計では、中継局が、宛先局によって検出された少なくとも１つの中継局のための少なくとも１つのメトリックの中の最良のメトリックを有する場合、送信を転送するための決定が行われる場合がある。別の設計では、中継局のためのメトリックが第１および／または第２のしきい値を超える場合、送信を転送するための決定が行われる場合がある。第１のしきい値は、最良のメトリックに基づいて決定される場合があり、第２のしきい値は、ソース局のためのメトリックに基づいて決定される場合がある。
【００７１】
ある設計では、中継局は、宛先局によって直接信号と区別不可能であるように、中継信号を生成する場合がある。直接信号および中継信号は、ＳＦＮに従って送信される場合がある。別の設計では、中継局は、例えば、異なるスクランブリング符号を使用して、直接信号と区別可能であるように、中継信号を生成する場合がある。中継局はまた、ＳＴＴＤまたはＳＦＴＤに従って、中継信号を生成する場合もある。
【００７２】
図７は、送信を中継するための装置７００の設計を示す。装置７００は、中継局において、ソース局からの直接信号を受信するためのモジュール７１２であって、直接信号は宛先局のための送信を備え、送信を宛先局へ転送するかどうかを決定するためのモジュール７１４、および、送信を転送するための決定が行われる場合、宛先局のための送信を備える中継信号を送るためのモジュール７１６を含む。
【００７３】
図５および図７のモジュールは、プロセッサ、電子デバイス、ハードウェアデバイス、電子コンポーネント、論理回路、メモリなど、またはそれらのいかなる組み合わせをも備える場合がある。
【００７４】
図８は、図１における基地局１１０、１つの中継１２０、および端末１３０の設計のブロック図を示す。基地局１１０は、順方向リンク上で１つまたは複数の端末へ送信を送る場合があり、逆方向リンク上で１つまたは複数の端末から送信を受信する場合もある。明確にするために、端末１３０のみに送られ、かつ端末１３０のみから受信された送信のための処理を、以下に記載する。
【００７５】
基地局１１０において、送信（ＴＸ）データプロセッサ８１０は、端末１３０へ送るためにデータのパケットを受信する場合があり、データシンボルを取得するために、選択されたパケットフォーマットに従って、各パケットを処理（例えば、符号化および変調）する場合がある。ＨＡＲＱが採用される場合、プロセッサ８１０は、各パケットの複数の送信を生成する場合があり、一度に１つの送信を提供する場合がある。プロセッサ８１０はまた、制御シンボルを取得し、パイロットシンボルを生成し、かつ、データシンボル、制御シンボルおよびパイロットシンボルを多重化するために、制御情報を処理する場合もある。プロセッサ８１０は、出力サンプルを生成するために、（例えば、ＯＦＤＭ、ＣＤＭＡなどのために）多重化されたシンボルをさらに処理する場合がある。送信機（ＴＭＴＲ）８１２は、順方向リンク信号を生成するために、出力サンプルを調整（例えば、アナログへの変換、増幅、フィルタ、およびアップコンバート）する場合があり、順方向リンク信号は、中継１２０および端末１３０へ送信される場合がある。
【００７６】
中継１２０において、基地局１１０からの順方向リンク信号が受信され、受信機（ＲＣＶＲ）８３６へ提供される場合がある。受信機８３６は、受信信号を調整（例えば、フィルタ、増幅、ダウンコンバート、およびディジタル化）し、入力サンプルを提供する場合がある。受信（ＲＸ）データプロセッサ８３８は、受信シンボルを取得するために、（例えば、ＯＦＤＭ、ＣＤＭＡなどのために）入力サンプルを処理する場合がある。プロセッサ８３８は、端末１３０へ送られた送信（例えば、パケットおよび制御情報）を回復するために、受信シンボルをさらに処理（例えば、復調および復号）する場合がある。ＴＸデータプロセッサ８３０は、データシンボルおよび制御シンボルを取得するために、基地局１１０と同じ方法で、プロセッサ８３８からの回復されたデータおよび制御情報を処理（例えば、符号化および変調）する場合がある。プロセッサ８３０は、パイロットシンボルを生成し、データおよび制御シンボルをパイロットシンボルと共に多重化し、出力サンプルを取得するためにその多重化されたシンボルを処理する場合がある。送信機８３２は、出力サンプルを調整し、順方向リンク中継信号を生成する場合があり、順方向リンク中継信号は端末１３０へ送信される場合がある。
【００７７】
端末１３０において、基地局１１０からの順方向リンク信号、および、中継１２０からの順方向リンク中継信号は、受信機８５２によって受信かつ調整され、ＲＸデータプロセッサ８５４によって、端末１３０へ送られた送信を回復するために処理される場合がある。コントローラ／プロセッサ８６０は、正しく復号されたパケットのためのフィードバック情報を生成する場合がある。逆方向リンク上で送られるべきデータおよび制御情報（例えば、フィードバック情報）は、ＴＸデータプロセッサ８５６によって処理され、送信機８５８によって、逆方向リンク信号を生成するために調整される場合があり、逆方向リンク信号は、基地局１１０および中継１２０へ送信される場合がある。
【００７８】
中継１２０において、端末１３０からの逆方向リンク信号は、受信機８３６によって受信かつ調整され、ＲＸデータプロセッサ８３８によって、端末１３０によって送られたデータおよび制御情報を回復するために処理される場合がある。回復されたデータおよび制御情報は、ＴＸデータプロセッサ８３０によって処理され、送信機８３２によって、逆方向リンク中継信号を生成するために調整される場合があり、逆方向リンク中継信号は、基地局１１０へ送信される場合がある。
【００７９】
基地局１１０において、端末１３０からの逆方向リンク信号、および、中継１２０からの逆方向リンク中継信号は、受信機８１６によって受信かつ調整され、ＲＸデータプロセッサ８１８によって、端末１３０によって送られたデータおよび制御情報を回復するために処理される場合がある。コントローラ／プロセッサ８２０は、端末１３０からの制御情報に基づいて、データの送信を制御する場合がある。
【００８０】
コントローラ／プロセッサ８２０、８４０および８６０は、基地局１１０、中継１２０および端末１３０において、それぞれ動作を指図する場合がある。コントローラ／プロセッサ８２０および８６０はそれぞれ、図４の処理４００、および／または本明細書に記載の技術のための他の処理を実施または指図する場合がある。コントローラ／プロセッサ８４０は、図６の処理６００、および／または本明細書に記載の技術のための他の処理を実施または指図する場合がある。メモリ８２２、８４２および８６２は、基地局１１０、中継１２０および端末１３０のためのデータおよびプログラムコードをそれぞれ格納する場合がある。
【００８１】
情報および信号は、様々な異なる技術および技法のいずれかを使用して表現される場合があることは、当業者には理解されよう。例えば、上記全体を通じて参照される場合のあるデータ、命令、コマンド、情報、信号、ビット、シンボルおよびチップは、電圧、電流、電磁波、磁場もしくは磁性粒子、光場もしくは光学粒子、またはそれらのいかなる組み合わせによっても表現される場合がある。
【００８２】
本明細書の開示に関連して記載された様々な例示的論理ブロック、モジュール、回路、およびアルゴリズムステップは、電子ハードウェア、コンピュータソフトウェア、または両方の組み合わせとして実装される場合があることは、当業者にはさらに理解されよう。ハードウェアおよびソフトウェアのこの互換性を明確に例示するため、様々な例示的コンポーネント、ブロック、モジュール、回路およびステップが、一般にそれらの機能性に関して上述されている。このような機能性がハードウェアとして実装されるか、ソフトウェアとして実装されるかは、全体のシステムに課された特定の応用および設計制約によって決まる。当業者は、記載された機能性を、各特定の応用のために様々な方法で実装してもよいが、このような実装の決定は、本開示の範囲からの逸脱を引き起こすものとして解釈されるべきではない。
【００８３】
本明細書の開示に関連して記載された様々な例示的論理ブロック、モジュールおよび回路は、本明細書に記載された機能を行うように設計された汎用プロセッサ、ディジタル信号プロセッサ（ＤＳＰ）、特定用途向け集積回路（ＡＳＩＣ）、フィールドプログラマブルゲートアレー（ＦＰＧＡ）、または他のプログラマブルロジックデバイス、ディスクリートゲートもしくはトランジスタロジック、ディスクリートハードウェアコンポーネント、またはそれらのいかなる組み合わせによって実装または行われてもよい。汎用プロセッサは、マイクロプロセッサである場合があるが、別法として、プロセッサは、いかなる従来のプロセッサ、コントローラ、マイクロコントローラ、またはステートマシンであってもよい。プロセッサはまた、例えば、ＤＳＰおよびマイクロプロセッサの組み合わせ、複数のマイクロプロセッサ、ＤＳＰコアを伴う１つまたは複数のマイクロプロセッサ、または他のいかなるこのような構成など、計算デバイスの組み合わせとして実装されてもよい。
【００８４】
本明細書の開示に関連して記載された方法またはアルゴリズムのステップは、ハードウェアにおいて直接、プロセッサによって実行されるソフトウェアモジュールにおいて、またはこれら２つの組み合わせにおいて実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他のいかなる形式の記憶媒体内に存在してもよい。例示的記憶媒体は、プロセッサが記憶媒体から情報を読み取り、記憶媒体に情報を書き込むことができるように、プロセッサに結合される。別法として、記憶媒体は、プロセッサに一体化される場合がある。プロセッサおよび記憶媒体は、ＡＳＩＣ内に存在する場合がある。ＡＳＩＣは、ユーザ端末内に存在する場合がある。別法として、プロセッサおよび記憶媒体は、ユーザ端末内にディスクリートコンポーネントとして存在する場合がある。
【００８５】
１つまたは複数の例示的設計では、記載された機能は、ハードウェア、ソフトウェア、ファームウェア、またはそれらのいかなる組み合わせにおいて実装されてもよい。ソフトウェアにおいて実装される場合、これらの機能は、コンピュータ可読媒体上の１つまたは複数の命令またはコードとして格納または送信されてもよい。コンピュータ可読媒体には、ある場所から別の場所へのコンピュータプログラムの転送を容易にするいかなる媒体もが含まれる、コンピュータ記憶媒体および通信媒体が共に含まれる。記憶媒体は、汎用または専用コンピュータによってアクセスすることができる、いかなる使用可能な媒体であってもよい。例として、限定ではなく、このようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶装置、または命令もしくはデータ構造の形式で所望のプログラムコード手段を搬送または格納するために使用することができ、かつ、汎用もしくは専用コンピュータ、または汎用もしくは専用プロセッサによってアクセスすることができる、他のいかなる媒体をも備えることができる。また、いかなる接続も、適切にコンピュータ可読媒体と呼ばれる。例えば、同軸ケーブル、光ファイバケーブル、ツイストペア、ディジタル加入者線（ＤＳＬ）、または赤外線、無線およびマイクロ波など、無線技術を使用して、ウェブサイト、サーバ、または他のリモートソースから、ソフトウェアが送信される場合、同軸ケーブル、光ファイバケーブル、ツイストペア、ＤＳＬ、または赤外線、無線およびマイクロ波など、無線技術は、媒体の定義に含まれる。本明細書で使用されるとき、ディスク（ｄｉｓｋ）およびディスク（ｄｉｓｃ）には、コンパクトディスク（ＣＤ）、レーザディスク、光ディスク、ディジタル多用途ディスク（ＤＶＤ）、フロッピー（登録商標）ディスク、および、ブルーレイディスクが含まれ、ただし、ディスク（ｄｉｓｋ）は通常、磁気的にデータを再生するが、ディスク（ｄｉｓｃ）は、レーザにより光学的にデータを再生する。上記の組み合わせもまた、コンピュータ可読媒体の範囲内に含まれるべきである。
【００８６】
本開示のこれまでの記載は、当業者が本開示を実施または使用できるようにするために提供される。本開示に対する様々な修正は、当業者には容易に明らかとなり、本明細書で定義された一般的原理は、本開示の精神または範囲から逸脱することなく、他の変形形態に適用されてもよい。よって、本開示は、本明細書に記載された実施例および設計に限定されるように意図されないが、本明細書で開示されたこれらの原理および新規の特徴と一致する最も広い範囲が与えられるべきである。
【図１】
2011526466.tif 000016
【図２】
2011526466.tif 000017
【図３】
2011526466.tif 000018
【図４】
2011526466.tif 000019
【図５】
2011526466.tif 000020
【図６】
2011526466.tif 000021
【図７】
2011526466.tif 000022
【図８】
2011526466.tif 000023
【国際調査報告】
2011526466.tif 000024
2011526466.tif 000025
2011526466.tif 000026
2011526466.tif 000027
2011526466.tif 000028